(57)【要約】  物品を内部に保持する多層安全包装組立体。組立体はカードを有し、カードは接着剤で覆われた表面及び裏面を備える。カードの表面には第一のカバープレートが貼り付けられ、カードの裏面には第二のカバープレートが貼り付けられている。第一のカバープレートは物品を内部に保持するための収容部を含む。第一のカバープレートの幅及び長さはカード及び第二のカバープレートの幅及び長さと等しい。消費者が物品にアクセスするために第一のカバープレートを第二のカバープレートから分離、即ち引き剥がしたとき、カードは略等しい２個の断片に分かれる。【選択図】図１
2008525287.tif 000002
【特許請求の範囲】
【請求項１】
物品を内部に保持するための多層の安全な包装組立体であって、
物品を内部に保持するように構成された少なくとも１個の収容部を有する第一のカバープレートと、
第二のカバープレートと、
第一のカバープレートと第二のカバープレートの間に配置された中間層であって、前記少なくとも１個の収容部に対応するように大きさと形状が決められた開口部を備えた中間層と、
中間層の第一の表面に設けられた第一の接着剤層と、
中間層の第二の表面に設けられた第二の接着剤層とを含み、
中間層の第一の表面は第二の表面の反対側であり、
第一の接着剤層が設けられた中間層の第一の表面は、第一のカバープレートに接着され、第二のカバープレートは、第二の接着剤層が設けられた中間層の第二の表面に接着されており、
第一のカバープレートと第二のカバープレートを反対方向に引き離したとき、中間層は、第一のカバープレートに接着されたままとなる第一の断片と第二のカバープレートに接着されたままとなる第二の断片とに分離し、
第一の断片と第二の断片とは互いに実質的に等しい幅及び長さを有する組立体。
【請求項２】
第一の断片の厚さは第二の断片の厚さと等しい、請求項１に記載の組立体。
【請求項３】
第一の断片の厚さは第二の断片の厚さよりも小さい、請求項１に記載の組立体。
【請求項４】
第一の断片の厚さは第二の断片の厚さよりも大きい、請求項１に記載の組立体。
【請求項５】
第一及び第二のカバープレートはポリ塩化ビニル（ｐｖｃ）により形成されている、請求項１に記載の組立体。
【請求項６】
第一及び第二のカバープレートの内の少なくとも一方は透明である、請求項５に記載の組立体。
【請求項７】
第一及び第二の接着剤層は、中間層の第一及び第二の表面の全表面を覆っている、請求項１に記載の組立体。
【請求項８】
中間層は紙及び厚紙の一方により形成されている、請求項１に記載の組立体。
【請求項９】
中間層の第一及び第二の表面の内の少なくとも一方は、中間層を第一及び第二の断片に分離するための切り込み線を含む、請求項１に記載の組立体。
【請求項１０】
中間層の第一及び第二の表面の少なくとも一方に表示が設けられている、請求項１に記載の組立体。
【請求項１１】
前記少なくとも１個の収容部は中間層の第一の表面から遠ざかる方向に張り出している、請求項１に記載の組立体。
【請求項１２】
物品を内部に保持するための多層の安全な包装組立体であって、
開口部を有するカードであって、開口部を貫通する物品を収容するように開口部の大きさと形状が決められたカードと、
切り込み線によって第二の部分と区画された第一の部分を有するカバープレートであって、第一の部分の幅及び長さは第二の部分及びカードの幅及び長さと等しく、第一の部分が、物品を内部に収容するように構成された少なくとも１個の収容部を含むカバープレートと、
カードの対向する第一及び第二の表面に設けられた第一及び第二の接着剤層とを含み、
第一の接着剤層が設けられたカードの第一の表面は、カバープレートの第一の部分に接着され、カバープレートの第二の部分は、第二の接着剤層が設けられたカードの第二の表面に接着されており、カバープレートの切り込み線は組立体の横方向縁部を画定しており、
カバープレートの第一の部分と第二の部分を反対方向に引き剥がしたとき、カードは、カバープレートの第一の部分に接着されたままとなる第一の断片とカバープレートの第二の部分に接着されたままとなる第二の断片とに分離し、
第一の断片と第二の断片は、互いに実質的に等しい幅及び長さを有する組立体。
【請求項１３】
第一の断片の厚さは、第二の断片の厚さと等しいか、第二の断片の厚さよりも小さいか、或いは第二の断片の厚さよりも大きい、請求項１２に記載の組立体。
【請求項１４】
カバープレートはポリ塩化ビニル（ｐｖｃ）により形成されており、カバープレートの第一及び第二の部分の内の少なくとも一方は透明である、請求項１２に記載の組立体。
【請求項１５】
第一及び第二の接着剤層は、カードの第一及び第二の表面の全表面を覆っている、請求項１２に記載の組立体。
【請求項１６】
カードは紙及び厚紙の一方により形成されている、請求項１２に記載の組立体。
【請求項１７】
カードの第一及び第二の表面の内の少なくとも一方は、カードを第一及び第二の断片に分離するための分離切り込み線を含む、請求項１２に記載の組立体。
【請求項１８】
前記少なくとも１個の収容部はカードの第一の表面から遠ざかる方向に張り出している、請求項１２に記載の組立体。
【請求項１９】
中間層の厚さは０．３０ｍｍ〜０．６５ｍｍの範囲であり、第二のカバープレートの厚さは０．２５ｍｍ〜０．３５ｍｍの範囲であり、第二のカバープレートの厚さは第一のカバープレートの厚さよりも小さい、請求項１に記載の組立体。
【請求項２０】
カードの厚さは０．３０ｍｍ〜０．６５ｍｍの範囲であり、カバープレートの第二の部分の厚さは０．２５ｍｍ〜０．３５ｍｍの範囲であり、カバープレートの第二の部分の厚さはカバープレートの第一の部分の厚さよりも小さい、請求項１２に記載の組立体。
【発明の詳細な説明】
【技術分野】
【０００１】
本発明は、多層のカード型の安全な製品包装システムに関する。該システムは、接着剤で覆われた表面及び裏面を備えた中間層と、中間層の表面及び裏面に接着されたポリ塩化ビニル系プレートとを有する。
【背景技術】
【０００２】
包装を開けることなく包装内の物品を販売のために展示するようにした各種の安全な包装システムが存在する。従来の安全な包装システムは、包装内に含まれる物品に無断でアクセスすることを防止する一方、大人であれば大きな困難を伴わずに包装を開けることができる。このような従来の安全な包装システムは、裏板に物品を載せ透明プラスチックカバーで物品と裏板とを覆うことによって、物品が良く見える状態で消費者に提示される。しかしながら、このような包装のプラスチックは、消費者が中の物品にアクセスしようとしてプラスチックを引き裂いた場合に鋭い縁が形成されてしまう。プラスチックの鋭い縁は消費者にとって安全面で問題があり、特に子供にとっては非常に危険である。
【０００３】
例えば、ローガン（Logan）らの特許文献１に開示されている包装は、支持カード２の第一の面に接着された半剛性透明プラスチック膨出部材４と、カード２の第二の面に接着された透明プラスチックフィルム８とを有する。カード２には窓６が形成されており、窓６の近傍のプラスチックフィルム８を剥がすことにより、窓６を通して製品を取り出すことができ、この引き剥がし間に、カード２の薄い表面層がカードの厚さ方向の残りの部分から引き剥がされる。プラスチックフィルム８がカード２から剥がされるときカード２の薄い表面はフィルム８に接着されているが、ローガンらは、包装を開けるとき、即ちプラスチックフィルム８をカードから引き剥がすときに膨出部材４及び／又はプラスチックフィルム８がカード２を略等しい複数の部分に「分割する」という概念については教示していない。
【０００４】
別の例においては、パーベット（Perbet）らに付与された特許文献２に開示された包装２は厚紙プレート４を有し、このプレートは、物体３と共に、上側シート７と、外周シール９によって上側シート７に固定される下側カバーシート８との間に密封されている。プレート４の上面は合成材料６により覆われ、この上に上側シート７が本質的には収縮包装によって設けられる。その後、下側カバーシート８が外周シール９により上側シート７に固定される。しかしながら、プレート４の一部が上側シート７に接着されると共にプレート４の残部の略等しい部分が下側シート８に接着された状態で上側シート７及び下側シート８を厚紙プレート４から引き剥がせることについては、パーベットらは教示していないようである。
【０００５】
更に別の例においては、ハグナー（Hagner）に付与された特許文献３には、上部プラスチックホイル１０と底部プラスチックホイル２０の間に閉じ込められた物品４０を有する包装が開示されている。底部プラスチックホイル２０は、複数の貫通穴２１と、上部プラスチックホイル１０と底部プラスチックホイル２０の間に位置決めされたシート３０とを含む。しかしながら、ホイル１０及び２０はシート３０に接着されていない。従って、包装を開けるとシート３０は落下する。
【０００６】
更に、アルサウス（Althaus）に付与された特許文献４に開示された包装１は２層のプラスチック層６及び６’を有し、これらの層同士は、厚紙インサート７がそれらの間に配置された状態で、結合縁部９においてシールされている。しかしながら、プラスチック層６及び６’の厚紙インサート７に対する接着は、包装１を開けたときに厚紙インサート７の表側部分がプラスチック層６’に接着されたままとなり厚紙インサート７の裏側部分がプラスチック層６に接着されたままとなるように行われているとは思われない。
【０００７】
別の例においては、トンリー（Tonrey）に付与された特許文献５に開示された包装は、底部ペーパ層１７に接着された上部ビニル層１５を有する。包装の内容物にアクセスするために上部層１５が底部層７から引き剥がされる。層１５と層１７の間にペーパシート２９を位置決めすることもできるが、層１５と層１７の分離に際しペーパシート２９が異なる複数の部分に分割されるとの教示は記載されていない。
【特許文献１】米国特許出願第２００２／００１４４３１号明細書
【特許文献２】米国特許第４９１５２３１号明細書
【特許文献３】米国特許第５３０７９３４号明細書
【特許文献４】米国特許第５４２９２４１号明細書
【特許文献５】米国特許第４１９６８０９号明細書
【発明の開示】
【発明が解決しようとする課題】
【０００８】
更に、本発明者は、物品の包装にポリ塩化ビニル（以後、簡単に「ｐｖｃ」という）プレートと背板カードとを用いたその他の従来の包装方法を調べた結果、一般に、カードとｐｖｃプレートとは、狭い面積を用いて一緒に積層されているか、或いはカードを超えた領域において縫合技術を適用して一緒に積層されていると判断した。
【０００９】
従来の包装システムの一例においては、一枚のｐｖｃプレートがカードの表面、即ち上面に適用されている。この例においては、ｐｖｃプレートは、中に包装する物品を収容するのに十分な大きさとなるように処理される。このプレートは直接カードに接着されるため、包装システムの外観が損なわれてしまう。従来の包装システムの別の例においては、ｐｖｃプレートは、カードの縁部が狭い間隔でｐｖｃプレートに接着されるように構成されている、即ち形作られているということに本発明者は気付いた。このｐｖｃプレートは、物品から離れた数箇所においてカードとｐｖｃプレートの間に短い、即ち比較的小さな間隙が残るように形作られている。これも同様に、包装システムの外観を損なうものである。
【００１０】
更に別の従来の包装システムの例においては、ｐｖｃプレートはカードより若干大きな面積を有するように製造されるため、ｐｖｃプレートはカードの外縁からはみ出している。ｐｖｃプレートのはみ出し部分は、縫合によりｐｖｃプレートをカードに接続するために、即ち取り付けるために使用される。ｐｖｃプレートのはみ出し部分は、同様に外観上好ましくなく、物品は包装内にしっかり保持されていないため、物品が動くことなく包装内に留まっていることを妨げてしまうことが分かった。
【００１１】
従って、大人であれば比較的簡単に開けられるが物品に無断でアクセスできない方法によって高い信頼性で物品を保持できるカード型の安全な包装システムに対する産業的ニーズがあることは明らかである。
【課題を解決するための手段】
【００１２】
本発明の一様相は、少なくとも、従来のカード型の安全な包装システムの上述の問題点を克服することである。
【００１３】
本発明の別の様相は、表面及び裏面が接着剤で覆われたカード等の中間層を有するカード型の安全な包装システムを提供することである。各接着剤層にはｐｖｃプレートが取り付けられているが、各ｐｖｃプレートの外形寸法はカード等の中間層の外形寸法と等しく、ｐｖｃプレートは他のものの外縁からはみ出していない。中に物品を保持するために、成形部、即ち物品収容部が包装システムの上側カバーを形成するｐｖｃプレートに設けられている。好ましくは、収容部は、消費者に中が良く見えるように透明な材料で形成される。包装を開けたとき、中間層は実質的に等しい２個の断片に分割されるが、中間層の表面部分は上部カバー、即ち上部ｐｖｃプレートに接着されたままとなり、中間層の後面部分は底部カバー、即ち底部ｐｖｃプレートに接着されたままとなる。
【００１４】
包装を組み立てるためには、中間層の表面及び後面を、所定の厚さを有する適切な接着材料で覆う。次に、中間層の後面の接着剤層にｐｖｃプレートを接着するか或いは別の方法で取り付ける。次に、中間層の表面の接着剤層にｐｖｃプレートを接着するか或いは別の方法で取り付ける。表側カバー、即ち表側ｐｖｃプレートには、物品を中に嵌め得るように構成された開口部或いは空間が形成されている。両接着剤層及び中間層も同様に、物品を中に嵌め得るように構成された空間が形成されている。中に物品を保持する大きさを有する成形部、即ち製品収容部が、表側カバー、両接着剤層、及び中間層に形成された空間内に収まるように形成されている。後側カバー、即ち後側ｐｖｃプレートには開口部は形成されていない。
【００１５】
言い換えると、包装を組み立てるときは、成形部、即ち製品収容部の中に物品を安全に配置する。次に、表側ｐｖｃプレートに画定された空間、即ち開口部内に収容部を位置決めする。次に、中間層の表面を所定の厚さの接着材料で覆う。次に、表側ｐｖｃプレートを中間層の表面に接着するか或いは他の方法で取り付ける。次に、中間層の後面を所定の厚さの接着材料で覆う。次に、後側ｐｖｃプレートを、中間層の後面に接着するか或いは他の方法で取り付ける。
【００１６】
本発明の包装は、任意の種類の物品を包装することを意図したものである。例えば、宝石、アクセサリ、貴金属や貴石、おもちゃ、食品、薬品、香水、ライト等が挙げられるが、これらに限定されるものではない。更に、本発明の包装は、美観を強調する方法や視覚的に好ましい方法でこれら製品を包装することを意図したものである。
【００１７】
本発明のその他の様相及び特徴は、添付図面を参照することにより以下の説明からより理解できるであろう。
【発明を実施するための最良の形態】
【００１８】
本発明の一好ましい実施形態による包装システムの分解斜視図である図１を参照すると、包装システムは中間層３を含み、中間層３の表面及び裏面はそれぞれ接着剤層２及び接着剤層４により覆われている。好ましくは、中間層３は紙状或いは厚紙系材料によって形成される。
【００１９】
しかしながら、中間層３は、厚さ方向、即ち深さ方向に第一の断片と第二の断片とに分離できる材料であれば、その他の任意の適切な材料で形成することも本発明の範囲内であることに注意されたい。即ち、第一の断片と第二の断片とは略等しい幅及び長さを有する、即ち略等しい面積を有するが、第一の断片の厚さは第二の断片の厚さよりも大きい、或いは第二の断片の厚さと等しい、或いは第二の断片の厚さよりも小さくすることができる。
【００２０】
理解を容易にするため、中間層３を以下カード３として説明する。
【００２１】
上述の通り、カード３の表面３ａ及び裏面３ｂはそれぞれ接着剤層２及び接着剤層４により覆われている。更に、カード３には後述する開口部或いは孔３ｃが形成されている。図１に図示したように、接着剤層２及び接着剤層４は、カード３の表面３ａ及び３ｂの全表面を覆うように適用されている。
【００２２】
表側接着剤層２には表側カバー或いは表側ｐｖｃプレート１が貼り付けられ、表側ｐｖｃプレート２及び表側接着剤層２の外周寸法８（即ち幅及び長さ）は互いに等しく、カード３の寸法とも等しい。表側ｐｖｃプレート２は更に、カード３から遠ざかる方向に張り出した成形部、即ち収容部６を含む。図示の収容部６は直方体であるが、収容部６は物品（図示せず）を容易に保持できる任意の公知の適切な幾何学的形状を有することができることも本発明の範囲内であることに注意されたい。更に、収容部６を透明な材料で形成して収容部６内に保持された物品が消費者に見えるのが好ましいことにも注意されたい。
【００２３】
図１に図示したように、カード３に画定された開口部３ｃの幅及び長さは、収容部６の幅及び長さと実質的に等しい。更に、開口部３ｃの幾何学的形状が収容部６の幾何学的形状に対応することも本発明の範囲内である。好ましくは、収容部６は、中に保持される物品の寸法に応じて真空成形によって形成される。
【００２４】
裏側接着剤層４には裏側カバー或いは裏側ｐｖｃプレート５が貼り付けられ、裏側ｐｖｃプレート５及び裏側接着剤層４の外周寸法８（即ち幅及び長さ）は互いに等しく、カード３の寸法とも等しい。表側ｐｖｃプレート２と異なり、裏側ｐｖｃプレート５は成形部、即ち収容部６を含まない。裏側ｐｖｃプレート５は、包装システムの安定性を提供し促進するため、開口部、突起部、或いはそのようなプレート５の連続性を断つ箇所のない一枚のブランクシート或いはプレートである。図１を参照されたい。
【００２５】
図２は、図１の包装システムの組み立てた状態の側面図である。好ましくは、表側ｐｖｃプレート１、カード３及び裏側ｐｖｃプレート５の幅及び長さは実質的に等しく、裏側ｐｖｃプレート５の厚さは表側ｐｖｃプレート１の厚さよりも小さいということに注意されたい。表側接着剤層２及び裏側接着剤層４は所定の厚さのものである。図３に示すように、カード３の裏面３ｂは切り込み線（score line）７を含む。切り込み線７はカード３のどの位置に配置してもよいが、好ましくは、次に述べるように包装システムを開け易くするためにカードの角の近くに配置する。
【００２６】
包装システムを分解する、即ち開けるため、消費者或いはユーザが切り込み線７に沿って包装の角を折り曲げると、カード３の表面３ａはカード３の裏面３ｂからきれいに且つ簡単に分離する。次に、消費者は表側ｐｖｃプレート１を裏側ｐｖｃプレート５から剥がし、包装を第一の或いは表側の断片３ｄと第二の或いは裏側の断片３ｅとに分離する。両断片の厚さは略等しい。図４を参照されたい。収容部６は物品の落下防止のための裏当てを有しておらず、カード３は、収容部６に対応し収容部６と位置合せされた開口部３ｃを含むため、消費者は収容部６内に保持された物品にアクセスできる。
【００２７】
図５及び図６に示すように、カード３に製品表示及び／又はメーカー表示１４〜２０を設けることができる。例えば、これは単なる例示に過ぎないが、収容部６内に保持された物品が金或いは他の宝石や貴重な物品である場合、表示１７により金のカラットに関する情報を提供できる。表示１８により、物品の販売会社名（Ｇｏｌｄａｓ（ＴＭ）等）を提供でき、表示１９により、販売中の包装された物品の品質や本物であることを保証するためにメーカー及び／又は販売者が発行する鑑定書を提供し表示できる。更に別の例においては、表示１０により金や石の採掘地等の情報を提供し、表示１１はパッケージ商品についての在庫や販売データを追跡するのを助けるためのバーコードとすることができ、表示１３はパッケージ商品の盗難や万引きを防止するためのセキュリティタグとすることができる。更に、複製品等の偽造品を防止し更に販売物品の品質を証明するためのホログラムである表示１４を提供することも本発明の範囲内である。更に、物品のメーカーのマークを隆起印刷した表示１５も設けることができる。
【００２８】
消費者や販売者が物品のメーカーに連絡を取りたい場合に必要となる通信情報を示す表示１６を設けることもできる。更に、セキュリティの目的で透かし模様の表示２０を設けることもできる。
【００２９】
図示の好ましい例示的実施形態においては包装システムは長方形として示したが、物品の保持を容易にする任意の適切な幾何学的形状を有する包装システムも本発明の範囲内である。即ち包装システムは三角形、円形、楕円、五角形、台形等の形状とすることができる。例えば、図７は本発明の別の実施形態の包装システムの分解斜視図である。
【００３０】
具体的には、図７に示す包装システムは、表側ｐｖｃプレート１、表側接着剤層２、カード３、裏側接着剤層４及び裏側ｐｖｃプレート５を含む。表側ｐｖｃプレート１は、中に物品を保持する球形或いは卵形の成形部６’を含む。成形部６’は更に物品保持アッセンブリを含み、該アッセンブリは、これは単なる例示に過ぎないが、第一、第二及び第三の入れ子状サブコンポーネント２２、２３、２４を含む。これらサブコンポーネントは台座２５により成形部６’内に支持されている。勿論、物品の包装の必要性や目的によって、物品保持アッセンブリを形成するサブコンポーネントの数や構造的配置を修正或いは変更できることも本発明の範囲内である。
【００３１】
次に、包装システムの組立プロセスの例を説明する。
【００３２】
最初に、成形部６或いは６’を含む表側ｐｖｃプレート１を真空成形し、包装する物品に適した寸法８を有するようにトリミングする。次に、最初に物品保持アッセンブリ内に保持された物品を、物品保持アッセンブリと共に成形部６或いは６’内に配置する（これが適切な場合）。次に、物品の包装の必要性に応じた形状の開口部３ｃと、適切な表示１０〜２０とを有するカード３を準備する。更に、カード３を、表側ｐｖｃプレート１の寸法８と等しい寸法８を有するようにトリミングする。次に、カード３の表面３ａ及び裏面３ｂをそれぞれ接着剤層２及び４で覆う。次に、カードの表面３ａを表側ｐｖｃプレート１に貼り付ける或いは接着する。最後に、裏側ｐｖｃプレート５をカード３の裏面３ｂに貼り付ける或いは接着し、包装システムの組立を完了する。
【００３３】
各接着段階、即ちカード３を表側ｐｖｃプレート１に貼り付ける或いは接着する段階及び／又は裏側ｐｖｃプレート５をカード３に貼り付ける或いは接着する段階においては、裏側ｐｖｃプレート５が変形しないようにしながら表側ｐｖｃプレート１へのカード３の接着を促進するように、貼付け或いは接着のための圧力を加える際の温度、圧力、印加時間には注意を払わなければならない。繰り返し実験を行った結果、適切な接着温度は約１３０℃〜約１４０℃の範囲、時間は約１５秒〜約３０秒の範囲であることが分かった。接着段階完了後、組み立てられた包装は冷却ステーションに送られ、表側ｐｖｃプレート１及び裏側ｐｖｃプレート５の形が崩れないように冷却するため平坦面上に維持される。
【００３４】
好ましくは、成形部６或いは６’の厚さは約０．５ｍｍ〜約０．６５ｍｍである。好ましくは、カード３の厚さは約０．３０ｍｍ〜約０．４０ｍｍである。上述の通り、裏側ｐｖｃプレート５は表側ｐｖｃプレート１よりも薄く、好ましくは約０．２５ｍｍ〜約０．３５ｍｍの厚さである。ここに記載した寸法は例示の目的で提供したものであり、包装の寸法を、内部に保持する物品の特性に基づき変更できることは本発明の範囲内であり、当業者であれば容易に理解できることに注意されたい。
【００３５】
包装内に保持される物品の種類の例として宝石を用いたが、任意の種類の物品を保持できることは本発明の範囲内である。例えば、貴金属、食品、香水、ライト、薬品、個人用手入れ用品、コンパクトディスク、電子アクセサリー、電池等が包装内に保持できる物品となり得る。
【００３６】
メーカーや販売者が最新の在庫情報、位置情報、販売情報を維持できるように、アクティブ或いはパッシブの識別チップ等の追跡デバイスを埋め込むことも本発明の範囲内である。
【００３７】
更に、表側ｐｖｃプレート１’及び裏側ｐｖｃプレート５’を、切り込み線Ａを備えた一枚のシートに変更し、カード３に接着する前に切り込み線Ａに沿ってプレート１及び５を折り曲げるようにすることも本発明の範囲内である。図８を参照されたい。
【００３８】
更に、記載した好ましい各実施形態においては成形部６或いは６’は１個であったが、包装やマーケティングの必要性や目的に応じて少なくとも１個、即ち一以上の成形部６或いは６’を設けることも本発明の範囲内である。例えば、図示していないが、マーケティングのロゴやシンボル、例えば、メーカーのロゴ、漫画のキャラクター、文章、商標等（これらは例示に過ぎない）を保持すると共に、物品を内部に保持するために単一或いは複数の成形部６或いは６’を用いることも想定できる。
【００３９】
以上、現時点で本発明の好ましい実施形態と考えられるものを説明してきたが、これらに様々な変更を加えることができることは理解できるであろう。添付の特許請求の範囲は、本発明の真の趣旨及び範囲に入るそのような変更の全てを包含するものである。
【図面の簡単な説明】
【００４０】
【図１】本発明の好ましい一実施形態に係る包装システムの分解斜視図である。
【図２】図１の包装システムを組み立てた状態の側面図である。
【図３】カードの裏面を示した概略図である。
【図４】包装システムを分解した、即ち開けた状態の側面図である。
【図５】組み立てた状態の包装システムの、図２のＤ−Ｄ線に沿った断面上面（表面）図である。
【図６】組み立てた状態の包装システムの、図２のＢ−Ｂ線に沿った断面底面（後面）図である。
【図７】本発明の別の一実施形態に係る包装システムの分解斜視図である。
【図８】ｐｖｃプレートの別の一実施形態の斜視図である。
【符号の説明】
【００４１】
１  表側ｐｖｃプレート
２  表側接着剤層
３  カード（中間層）
３ｃ  開口部
３ｄ  表側断片
３ｅ  裏側断片
４  裏側接着剤層
５  裏側ｐｖｃプレート
６  収容部
【図１】
2008525287.tif 000003
【図２】
2008525287.tif 000004
【図３】
2008525287.tif 000005
【図４】
2008525287.tif 000006
【図５】
2008525287.tif 000007
【図６】
2008525287.tif 000008
【図７】
2008525287.tif 000009
【図８】
2008525287.tif 000010
【国際調査報告】
2008525287.tif 000011
2008525287.tif 000012